(57)【要約】【課題】映像伝送システムにより伝送された映像等を視聴できる端末の提供。【解決手段】配信端末３０と視聴端末４０とを備え、配信端末３０にて、複数のデジタル映像データを合成して、合成されたデジタル映像データとすると共に、合成されたデジタル映像データによって、アナログＣＡＴＶの一チャンネルにおけるキャリアを変調して、変調されたキャリアとし、変調されたキャリアを配信端末３０から視聴端末４０にＣＡＴＶ網５０を介して伝送する映像伝送システムにおける視聴端末４０において、変調されたキャリアを選択的に受信する受信部１１と、選択的に受信された、変調されたキャリアから、合成されたデジタル映像データを復調する復調部１２と、合成されたデジタル映像データを複数のデジタル映像データに分割する分割部１２と、複数のデジタル映像データの各々を復号し表示するＰＣ２０とを有する視聴端末。【選択図】　　　　図１
2004064176.tif 000002
【特許請求の範囲】
【請求項１】
配信端末と視聴端末と前記配信端末及び前記視聴端末間を接続するＣＡＴＶ網とを備え、前記配信端末にて、複数のデジタル映像データを合成して、合成されたデジタル映像データとすると共に、該合成されたデジタル映像データによって、アナログＣＡＴＶの一チャンネルにおけるキャリアを所定の変調方式にて変調して、変調されたキャリアとし、該変調されたキャリアを前記配信端末から前記視聴端末に前記ＣＡＴＶ網を介して伝送する映像伝送システムにおける前記視聴端末において、
前記ＣＡＴＶ網から前記変調されたキャリアを選択的に受信する受信部と、
選択的に受信された、前記変調されたキャリアから、前記合成されたデジタル映像データを復調する復調部と、
前記合成されたデジタル映像データを前記複数のデジタル映像データに分割する分割部と、
前記複数のデジタル映像データの各々を復号し表示する復号表示部とを有することを特徴とする映像伝送システムにおける視聴端末。
【請求項２】
請求項１に記載の映像伝送システムにおける視聴端末において、
前記所定の変調方式が６４ＱＡＭ方式であり、前記変調されたキャリアが６４ＱＡＭ方式にて変調されたキャリアであり、この６４ＱＡＭ方式にて変調されたキャリアが前記配信端末から前記視聴端末に前記ＣＡＴＶ網を介して伝送される場合において、
前記復調部は、前記選択的に受信された、前記６４ＱＡＭ方式にて変調されたキャリアから、前記合成されたデジタル映像データを復調するものであることを特徴とする、映像伝送システムにおける視聴端末。
【請求項３】
請求項１又は２に記載の映像伝送システムにおける視聴端末において、
前記複数のデジタル映像データは、インターネットプロトコルに準拠した信号形式をそれぞれ有することを特徴とする映像伝送システムにおける視聴端末。
【請求項４】
請求項１乃至３のいずれかに記載の映像伝送システムにおける視聴端末において、
前記復号表示部として、パーソナルコンピュータを用いることを特徴とする映像伝送システムにおける視聴端末。
【請求項５】
請求項１乃至３のいずれかに記載の映像伝送システムにおける視聴端末において、
前記復号表示部として、セットトップボックスとテレビ受像機との組合せを用いることを特徴とする映像伝送システムにおける視聴端末。
【請求項６】
配信端末と視聴端末と前記配信端末及び前記視聴端末間を接続するＣＡＴＶ網とを備え、前記配信端末にて、複数のデジタル映像データ及び当該複数のデジタル映像データ以外の少なくとも一つのデジタルデータを合成して、合成されたデータとすると共に、該合成されたデータによって、アナログＣＡＴＶの一チャンネルにおけるキャリアを所定の変調方式にて変調して、変調されたキャリアとし、該変調されたキャリアを前記配信端末から前記視聴端末に前記ＣＡＴＶ網を介して伝送する映像伝送システムにおける前記視聴端末において、
前記ＣＡＴＶ網から前記変調されたキャリアを選択的に受信する受信部と、
選択的に受信された、前記変調されたキャリアから、前記合成されたデータを復調する復調部と、
前記合成されたデータを前記複数のデジタル映像データ及び前記デジタルデータに分割する分割部と、
前記複数のデジタル映像データの各々を復号し表示すると共に、前記デジタルデータを復号し表示する復号表示部とを有することを特徴とする映像伝送システムにおける視聴端末。
【請求項７】
請求項６に記載の映像伝送システムにおける視聴端末において、
前記所定の変調方式が６４ＱＡＭ方式であり、前記変調されたキャリアが６４ＱＡＭ方式にて変調されたキャリアであり、この６４ＱＡＭ方式にて変調されたキャリアが前記配信端末から前記視聴端末に前記ＣＡＴＶ網を介して伝送される場合において、
前記復調部は、前記選択的に受信された、前記６４ＱＡＭ方式にて変調されたキャリアから、前記合成されたデータを復調するものであることを特徴とする、映像伝送システムにおける視聴端末。
【請求項８】
請求項６又は７に記載の映像伝送システムにおける視聴端末において、
前記複数のデジタル映像データは、インターネットプロトコルに準拠した信号形式をそれぞれ有することを特徴とする映像伝送システムにおける視聴端末。
【請求項９】
請求項６乃至８のいずれかに記載の映像伝送システムにおける視聴端末において、
前記復号表示部として、パーソナルコンピュータを用いることを特徴とする映像伝送システムにおける視聴端末。
【請求項１０】
請求項６乃至８のいずれかに記載の映像伝送システムにおける視聴端末において、
前記復号表示部として、セットトップボックスとテレビ受像機との組合せを用いることを特徴とする映像伝送システムにおける視聴端末。
【発明の詳細な説明】
【０００１】
【発明の属する技術分野】
本発明は、配信端末にて、アナログＣＡＴＶ（ｃａｂｌｅ　ｔｅｌｅｖｉｓｉｏｎ）の任意のチャンネルに、複数のデジタル映像等を合成し、６４ＱＡＭ（ｑｕａｒｄｒａｔｕｒｅ　ａｍｐｌｉｔｕｄｅ　ｍｏｄｕｌａｔｉｏｎ）変調して視聴端末にＣＡＴＶ網を介して伝送する映像伝送システムに於いて、伝送された複数のデジタル映像等を任意に抽出して視聴することを可能とした視聴端末に関する。
【０００２】
【従来の技術】
アナログＣＡＴＶに於いて、アナログＣＡＴＶの帯域制限の中で、必然的に決まる最大番組数を、既設のシステムをそのまま利用し、一部手段を付加することにより、少ない費用で、飛躍的に増やすことが要望されている。
【０００３】
ユーザニーズの多様化が言われる今日、ＣＡＴＶの番組数を増やすことは、加入者へのサービス向上と共に、事業拡大のためにも重要な要素である。
【０００４】
【発明が解決しようとする課題】
本願出願人は、上記の要望にこたえ、アナログＣＡＴＶの帯域制限の中で、必然的に決まる最大番組数を飛躍的に増やす手段として、複数のデジタル映像等を特殊な方法で合成し、６４ＱＡＭ変調方式により変調して、アナログＣＡＴＶの１チャンネルを使って伝送する映像伝送システムを提案した（特願２００２−１８４６４１号）。
【０００５】
この映像伝送システムによって、アナログＣＡＴＶの番組数を飛躍的に増大させる可能性を提供することになったが、上記映像伝送システムにより伝送された映像等は、従来のＣＡＴＶの方式では視聴できないため、その視聴端末が求められる。その視聴端末を確立することは、全体として真に有効な発明とするための重要な課題である。
【０００６】
すなわち、本発明の課題は、上記映像伝送システムにより伝送された映像等を視聴できる視聴端末を提供することにある。
【０００７】
【課題を解決するための手段】
本発明によれば、配信端末と視聴端末と前記配信端末及び前記視聴端末間を接続するＣＡＴＶ網とを備え、前記配信端末にて、複数のデジタル映像データを合成して、合成されたデジタル映像データとすると共に、該合成されたデジタル映像データによって、アナログＣＡＴＶの一チャンネルにおけるキャリアを所定の変調方式にて変調して、変調されたキャリアとし、該変調されたキャリアを前記配信端末から前記視聴端末に前記ＣＡＴＶ網を介して伝送する映像伝送システムにおける前記視聴端末において、
前記ＣＡＴＶ網から前記変調されたキャリアを選択的に受信する受信部と、
選択的に受信された、前記変調されたキャリアから、前記合成されたデジタル映像データを復調する復調部と、
前記合成されたデジタル映像データを前記複数のデジタル映像データに分割する分割部と、
前記複数のデジタル映像データの各々を復号し表示する復号表示部とを有することを特徴とする映像伝送システムにおける視聴端末が得られる。
【０００８】
更に本発明によれば、配信端末と視聴端末と前記配信端末及び前記視聴端末間を接続するＣＡＴＶ網とを備え、前記配信端末にて、複数のデジタル映像データ及び当該複数のデジタル映像データ以外の少なくとも一つのデジタルデータを合成して、合成されたデータとすると共に、該合成されたデータによって、アナログＣＡＴＶの一チャンネルにおけるキャリアを所定の変調方式にて変調して、変調されたキャリアとし、該変調されたキャリアを前記配信端末から前記視聴端末に前記ＣＡＴＶ網を介して伝送する映像伝送システムにおける前記視聴端末において、
前記ＣＡＴＶ網から前記変調されたキャリアを選択的に受信する受信部と、
選択的に受信された、前記変調されたキャリアから、前記合成されたデータを復調する復調部と、
前記合成されたデータを前記複数のデジタル映像データ及び前記デジタルデータに分割する分割部と、
前記複数のデジタル映像データの各々を復号し表示すると共に、前記デジタルデータを復号し表示する復号表示部とを有することを特徴とする映像伝送システムにおける視聴端末が得られる。
【０００９】
特開平９−２１４８５５号公報には、複数チャンネルから所望のチャンネルを選択し、選択されたチャンネルのデジタル変調信号から映像信号を復調し、再生するデジタル映像選択再生システムに関する技術が開示されている。
【００１０】
しかし、前記特開平９−２１４８５５号公報は、本願発明の特徴である「複数のデジタル映像データを合成して、合成されたデジタル映像データとする」こと、「該合成されたデジタル映像データによって、」アナログＣＡＴＶの一チャンネルにおけるキャリアを所定の変調方式にて変調すること、選択的に受信された、前記変調されたキャリアから、「前記合成されたデジタル映像データ」を復調すること、及び「前記合成されたデジタル映像データを前記複数のデジタル映像データに分割する分割部」を開示していない。
【００１１】
更に、特開平９−２１４８５５号公報は、本願発明の特徴である「複数のデジタル映像データ及び当該複数のデジタル映像データ以外の少なくとも一つのデジタルデータを合成して、合成されたデータとする」こと、「該合成されたデジタルデータによって、」アナログＣＡＴＶの一チャンネルにおけるキャリアを所定の変調方式にて変調すること、選択的に受信された、前記変調されたキャリアから、「前記合成されたデータ」を復調すること、及び「前記合成されたデータを前記複数のデジタル映像データ及び前記デジタルデータに分割する分割部」を開示していない。
【００１２】
【発明の実施の形態】
次に、本発明の実施例について図面を参照して詳細に説明する。
【００１３】
図１を参照すると、本発明の一実施例による視聴端末４０を備えた映像伝送システムが示されている。この映像伝送システムは、配信端末３０と視聴端末４０と配信端末３０及び視聴端末４０間を接続するＣＡＴＶ網５０とを備えている。
【００１４】
この映像伝送システムは、配信端末３０にて、複数のデジタル映像データ１〜４及び当該複数のデジタル映像データ１〜４以外の少なくとも一つのデジタルデータ５を合成して、合成されたデータとすると共に、該合成されたデータによって、アナログＣＡＴＶの任意の１チャンネルにおけるキャリアを所定の変調方式（典型的には、６４ＱＡＭ方式）にて変調して、変調されたキャリア０１とし、変調されたキャリア０１を配信端末３０から視聴端末４０にＣＡＴＶ網５０を介して伝送するものである（上記特願２００２−１８４６４１号）。
【００１５】
このように、図１に於いて、０１はアナログＣＡＴＶの任意の１チャンネルに複数のデジタル映像等を伝送しているキャリアの状態を示している。また、０２はアナログＣＡＴＶの他の任意の１チャンネルのキャリアの状態を示したものである。
【００１６】
なお、配信端末３０にて、複数のデジタル映像データ１〜４を合成しても良い。
【００１７】
この映像伝送システムにおいて、視聴端末４０は、受信ボックス１０とＰＣ（ｐｅｒｓｏｎａｌ　ｃｏｍｐｕｔｅｒ）２０とを有する。
【００１８】
図２を参照すると、受信ボックス１０は、受信部１１と、復調部１２と、分割部１３とを有する。受信部１１は、ＣＡＴＶ網５０から、変調されたキャリア０１（図１）を選択的に受信する。復調部１２は、選択的に受信された、変調されたキャリア０１から、合成されたデータを復調する。分割部１３は、合成されたデータを複数のデジタル映像データ１〜４（図１）及びデジタルデータ５（図１）に分割する。
【００１９】
図１に戻って、ＰＣ２０は、複数のデジタル映像データ１〜４の各々を復号し表示すると共に、デジタルデータ５を復号し表示する復号表示部として作用する。
【００２０】
図１及び図２において、上述した本実施例では、受信ボックス１０とＰＣ２０により視聴することを特徴とする。
【００２１】
受信ボックス１０では、受信部１１において、アナログＣＡＴＶの任意の１チャンネルの受信を行い、復調部１２において、６４ＱＡＭ信号の復調を行い、分割部１３にて、合成されたデータをそれぞれのデジタル映像データ１〜４及びデジタルデータ５への分割を行う。
【００２２】
ＰＣ２０では、受信ボックス１０で復調／分割された、それぞれのデジタル映像データ１〜４及びデジタルデータ５をデコードし、映像又はデータを画面に表示する。
【００２３】
図１及び図２を引き続き参照して、本実施例の動作を説明する。
【００２４】
上記特願２００２−１８４６４１号に基づく映像伝送システムにおいては、配信端末３０から、図１の０１又は０２のような形で、複数のデジタル映像データ１〜４等がアナログＣＡＴＶの任意のチャンネルのキャリアに載せて視聴端末４０に送られて来る。
【００２５】
視聴端末４０では、先ず、受信ボックス１０に入力される。
【００２６】
受信ボックス１０では、先ず、受信部１１に入り、ここで希望するデジタル映像データ１〜４等が送られてくる任意のチャンネルを選択する。
【００２７】
受信部１１で選択されたチャンネルのキャリアは、復調部１２で６４ＱＡＭ信号の復調がなされる。
【００２８】
復調部１２で復調され、トランスポートストリーム形式に合成された複数のデジタル映像データ等は、分割部１３で元のインターネットプロトコルに準拠した信号形式のデジタル映像データ等に分割されて、ＰＣ２に送られる。
【００２９】
ＰＣ２では、デジタル映像データ等を復号し、ＰＣ２のディスプレイに表示する。
【００３０】
本実施例では、復号表示部としてＰＣ２０を使用しているが、ＰＣ２０の代わりにセットトップボックス（ＳＴＢ）と通常のテレビを使用してデジタル映像データ等を表示しても、良い。
【００３１】
【発明の効果】
以上説明したように、本発明によれば、上記特願２００２−１８４６４１号の映像伝送システムにより伝送された映像等を視聴できる視聴端末を得ることができる。
【図面の簡単な説明】
【図１】本発明の一実施例による視聴端末を備えた映像伝送システムのブロック図である。
【図２】図１の視聴端末の受信ボックスのブロック図である。
【符号の説明】
１０　　受信ボックス
１１　　受信部
１２　　復調部
１３　　分割部
２０　　ＰＣ
３０　　配信端末
４０　　視聴端末
５０　　ＣＡＴＶ網
【図１】
2004064176.tif 000003
【図２】
2004064176.tif 000004